【手続補正書】
【提出日】令和3年4月13日(2021.4.13)
【手続補正１】
【補正対象書類名】特許請求の範囲
【補正対象項目名】全文
【補正方法】変更
【補正の内容】
【特許請求の範囲】
【請求項１】
現在の中継ノードがデータパケットを受信することと、
前記現在の中継ノードが宛先ノードのアドレスに基づいて、前記データパケットを転送するかどうかを決定することとを含み、
前記データパケットのヘッダには前記データパケットの前記宛先ノードのアドレスが含まれる
ことを特徴とする中継のルーティング方法。
【請求項２】
前記方法は、さらに、
前記現在の中継ノードが前記データパケットを転送すると決定する場合、前記現在の中継ノードが少なくとも１つの中継ノードに前記データパケットを転送すると決定することを含む
ことを特徴とする請求項１に記載の中継のルーティング方法。
【請求項３】
前記現在の中継ノードが前記データパケットを受信する前に、前記方法は、さらに、
前記現在の中継ノードがセンターノードにより送信されたルーティングテーブルを受信することを含み、前記ルーティングテーブルは、前記データパケットのソースノードから前記宛先ノードまでの伝送経路を示し、
前記現在の中継ノードが少なくとも１つの中継ノードに前記データパケットを転送すると決定することは、
前記現在の中継ノードが前記ルーティングテーブルに基づいて、前記少なくとも１つの中継ノードに前記データパケットを転送すると決定することを含む
ことを特徴とする請求項２に記載の中継のルーティング方法。
【請求項４】
前記現在の中継ノードが前記少なくとも１つの中継ノードに前記データパケットを転送すると決定することは、
前記現在の中継ノードがチャネル品質に基づいて、前記少なくとも１つの中継ノードに前記データパケットを転送すると決定することを含む
ことを特徴とする請求項２又は３に記載の中継のルーティング方法。
【請求項５】
前記現在の中継ノードがデータパケットを受信することは、
前記現在の中継ノードが第１のデータパケット及び第２のデータパケットを受信することを含み、前記第１のデータパケットの宛先ノードのアドレスが前記第２のデータパケットの宛先ノードのアドレスと同じであり、
前記現在の中継ノードが少なくとも１つの中継ノードに前記データパケットを転送すると決定することは、
前記現在の中継ノードが前記少なくとも１つの中継ノードのうちの第１の中継ノードに前記第１のデータパケットを転送すると決定することと、
前記現在の中継ノードが前記少なくとも１つの中継ノードのうちの第２の中継ノードに前記第２のデータパケットを転送することとを含み、
又は、
前記現在の中継ノードがデータパケットを受信することは、
前記現在の中継ノードが第１のデータパケットを受信することを含み、
前記方法は、さらに、
前記現在の中継ノードが前記第１のデータパケットをコピーすることを含む
ことを特徴とする請求項２〜４のいずれか１項に記載の中継のルーティング方法。
【請求項６】
前記現在の中継ノードが少なくとも１つの中継ノードに前記データパケットを転送すると決定することは、
前記現在の中継ノードが前記少なくとも１つの中継ノードのうちの第１の中継ノードに前記第１のデータパケットを転送すると決定し、前記少なくとも１つの中継ノードのうちの第２の中継ノードにコピーされた前記第１のデータパケットを転送することを含み、
又は、
前記現在の中継ノードが少なくとも１つの中継ノードに前記データパケットを転送すると決定することは、
前記現在の中継ノードが第１の論理チャネルを利用して前記少なくとも１つの中継ノードのうちの第１の中継ノードに前記第１のデータパケットを転送すると決定し、第２の論理チャネルを利用して前記第１の中継ノードにコピーされた前記第１のデータパケットを転送すると決定することを含む
ことを特徴とする請求項５に記載の中継のルーティング方法。
【請求項７】
前記現在の中継ノードがデータパケットを受信することは、
前記現在の中継ノードが第１の論理チャネルを利用して第１のデータパケットを受信することを含み、
前記現在の中継ノードが少なくとも１つの中継ノードに前記データパケットを転送すると決定することは、
前記現在の中継ノードが前記第１の論理チャネルを利用して前記少なくとも１つの中継ノードに前記第１のデータパケットを転送することを含む
ことを特徴とする請求項２〜４のいずれか１項に記載の中継のルーティング方法。
【請求項８】
前記現在の中継ノードがデータパケットを受信することは、
前記現在の中継ノードが第１の論理チャネルを利用して第１のデータパケットを受信することを含み、
前記現在の中継ノードが少なくとも１つの中継ノードに前記データパケットを転送すると決定することは、
前記現在の中継ノードが構成情報に基づいて、第２の論理チャネルを利用して前記少なくとも１つの中継ノードに前記第１のデータパケットを転送することを含む
ことを特徴とする請求項２〜４のいずれか１項に記載の中継のルーティング方法。
【請求項９】
前記構成情報は、センターノードにより決定される
ことを特徴とする請求項８に記載の中継のルーティング方法。
【請求項１０】
前記現在の中継ノードがデータパケットを受信することは、
前記現在の中継ノードが第１の論理チャネルを利用して第１のデータパケットを受信することを含み、
前記現在の中継ノードが少なくとも１つの中継ノードに前記データパケットを転送すると決定することは、
前記現在の中継ノードが中継層の指示に基づいて、第２の論理チャネルを利用して前記少なくとも１つの中継ノードに前記第１のデータパケットを転送することを含む
ことを特徴とする請求項２、３、４、８又は９に記載の中継のルーティング方法。
【請求項１１】
前記現在の中継ノードがデータパケットを受信することは、
前記現在の中継ノードが第１のデータパケット及び第２のデータパケットを受信することを含み、前記第１のデータパケットの宛先ノードのアドレスが前記第２のデータパケットの宛先ノードのアドレスと同じであり、
前記現在の中継ノードが少なくとも１つの中継ノードに前記データパケットを転送すると決定することは、
前記現在の中継ノードが前記少なくとも１つの中継ノードのうちの第１の中継ノードに前記第１のデータパケットを転送すると決定することと、
前記現在の中継ノードが前記第１の中継ノードに前記第２のデータパケットを転送すると決定することとを含み、
又は、
前記現在の中継ノードがデータパケットを受信することは、
前記現在の中継ノードが第１のデータパケット及び第２のデータパケットを受信することを含み、前記第１のデータパケットの宛先ノードのアドレスが前記第２のデータパケットの宛先ノードのアドレスと同じであり、
前記方法は、さらに、
前記現在の中継ノードがデータパケットのデータパケットデータ収束プロトコルＰＤＣＰ層シーケンス番号に基づいて、前記第１のデータパケット及び前記第２のデータパケットが重複データパケットであるかどうかを検出することを含む
ことを特徴とする請求項２〜４のいずれか１項に記載の中継のルーティング方法。
【請求項１２】
前記現在の中継ノードが少なくとも１つの中継ノードに前記データパケットを転送すると決定することは、
前記第１のデータパケット及び前記第２のデータパケットが重複データパケットである場合、前記現在の中継ノードが前記少なくとも１つの中継ノードに前記第１のデータパケット又は前記第２のデータパケットを送信すると決定し、又は、
前記第１のデータパケット及び前記第２のデータパケットが非重複データパケットである場合、前記現在の中継ノードが前記少なくとも１つの中継ノードに前記第１のデータパケット及び前記第２のデータパケットを送信すると決定することを含む
ことを特徴とする請求項１１に記載の中継のルーティング方法。
【請求項１３】
前記データパケットのヘッダには、前記データパケットのソースノードのアドレスがさらに含まれ、
又は、
前記方法は、さらに、
前記現在の中継ノードは、故障がした場合、前記センターノードがルーティングテーブルを更新するようにセンターノードに故障情報を報告することを含み、前記ルーティングテーブルは、前記データパケットのソースノードから前記宛先ノードまでの伝送経路を示し、
又は、
前記データパケットが下りデータパケットを含み、
又は、
前記データパケットが上りデータパケット及び下りデータパケットを含み、
又は、
前記データパケットが上りデータパケットである場合、前記少なくとも１つの中継ノードが前記現在の中継ノードの親ノードであり、
又は、
前記宛先ノードのアドレスは、前記データパケットが属する端末デバイスのアドレスであり、
又は、
前記宛先ノードのアドレスは、前記データパケットが属する端末デバイスに直接接続される中継ノードのアドレスであり、
又は、
前記宛先ノードのアドレスは、前記データパケットが属する端末デバイスのアドレスと前記データパケットが属する端末デバイスに直接接続される中継ノードのアドレスを含み、
又は、
前記データパケットが属する端末デバイスのアドレスは、センターノードにより割り当て、
又は、
前記データパケットが属する端末デバイスに直接接続される中継ノードのアドレスは、センターノードにより割り当て
又は、
前記センターノードは、アンカーノード、固定アクセスされるアクセスネットワークノード又はコアネットワークノードであり、
又は、
前記データパケットのヘッダは、データパケットデータ収束プロトコルＰＤＣＰプロトコルデータユニットＰＤＵのヘッダにあり、
又は、
前記データパケットのヘッダは、データパケットデータ収束プロトコルＰＤＣＰプロトコルデータユニットＰＤＵのヘッダ外にあり、
又は、
前記データパケットが下りデータパケットであり、
又は、
前記データパケットは、中継ノードの間で転送される下りデータパケットを含む
ことを特徴とする請求項１〜１２のいずれか１項に記載の中継のルーティング方法。
【請求項１４】
受信ユニットと、決定ユニットとを備え、ネットワークアンカーノードとする前記通信ノードであって、
前記受信ユニットは、データパケットを受信するように構成され、前記データパケットのヘッダには第１の情報が含まれ、前記第１の情報は、前記データパケットのソースアドレスを示し、
前記決定ユニットは、前記第１の情報に基づいて、前記データパケットのソースアドレスを決定するように構成される
ことを特徴とする通信ノード。
【請求項１５】
コンピュータプログラムをメモリから呼び出して実行することで、請求項１〜１３のいずれか１項に記載の方法をチップが搭載されたデバイスに実行させるプロセッサを有する
ことを特徴とする回路。